(57)【特許請求の範囲】
【請求項１】
硬質部材から成る内側部材及び外側部材と、前記内側部材の中心に設けた吸気導入窓を覆うようにして前記内側部材に取り付けられ、弾性を有する軟質部材から成る弁部材とから成り、
前記吸気導入窓の周囲に設けた円環状の下部抑え板と前記外側部材の上部抑え板とで圧縮収納袋を挟み、該圧縮収納袋に取り付け可能な圧縮収納袋用排気具であって、
前記下部抑え板の下面には、空気流通路を形成する複数の板状の隔壁が放射状でかつ下方に向けて張り出しており、前記隔壁の一部は、前記下部抑え板の外縁よりも長く延在されており、
前記隔壁の外側には、下縁が前記隔壁の下縁と同位置である環状枠部が配置され、該環状枠部の内側に前記隔壁の各先端が連結されており、
前記隔壁の一部に連続する上縁部は、前記下部抑え板の外縁及び前記環状枠部の上縁に連続しており、
前記下部抑え板の外縁と、前記下部抑え板から斜め下方に傾斜する前記上縁部と、前記環状枠部の上縁とにより囲まれた区画に、斜め上方に向けて開口する吸気窓が設けられていることを特徴とする圧縮収納袋用排気具。
【請求項２】
前記圧縮収納袋は前記下部抑え板上に気密に接合されていることを特徴とする請求項１に記載の圧縮収納袋用排気具。
【請求項３】
前記外側部材は内部を空間とする短円筒状の弁室が形成されており、該弁室の周囲に前記上部抑え板が設けられており、
前記弁部材は、薄肉円板状であって前記吸気導入窓を覆う弁体を有し、前記弁室内に配置されていることを特徴とする請求項１又は２に記載の圧縮収納袋用排気具。
【発明の詳細な説明】
【技術分野】
【０００１】
本発明は、圧縮収納袋に組み付けて使用し、布団、クッション、衣類等の収納物を圧縮して収納するための圧縮収納袋用排気具に関するものである。
【背景技術】
【０００２】
布団、クッション、衣類等の物品は、使用時には多くの空気を含んだ嵩の高い状態であることが好ましい。しかし、保管時にはその嵩高さがかえって問題となる。
【０００３】
そこで、布団を収納するに当り、これらが嵩張らないようにするために、圧縮収納袋が用いられている。圧縮収納袋は逆止弁から成る排気弁を備えており、圧縮収納袋に布団を収納し、例えば電気掃除機の吸気口を排気弁に当てて吸引すると、排気口を塞ぐ排気弁が電気掃除機の吸引力により開き、圧縮収納袋内の空気が排気口を通して外部に排出されて布団から空気を抜いて圧縮することができる。そして、吸引を止めると圧縮収納袋内は負圧、外部は正圧となって、この圧力差により排気弁が排気口が閉止して、布団内の空気を抜いた圧縮した状態を維持することができる。
【０００４】
しかし、このような圧縮収納袋は排気時に、吸い寄せられる布団の一部により、吸気口が塞がれてしまうと、排気が滞って迅速な排気ができなくなる。そこで、排気時における布団による吸気口の閉塞を防止する排気弁が特許文献１に開示されている。
【０００５】
この特許文献１には、「袋体１の内部に連通する空気流通路Ｒを有する胴体４と、袋体１の内容物が胴体４の空気流通路Ｒに接触しないよう内容物を押さえる起立板７であって、当該胴体４の空気流通路Ｒ周囲から径外方向に放射状に形成されたものとを備える排気弁機構Ｑ」が記載されている。そして、脱気に際して、空気流通路Ｒが収容物によって塞がれてしまうことを防止でき、袋体内の脱気を行うことができる。
【先行技術文献】
【特許文献】
【０００６】
【特許文献１】特開２００９−１９０７５５号公報
【発明の概要】
【発明が解決しようとする課題】
【０００７】
ところが、特許文献１に記載の排気弁機構を使用すると、排気の初めでは吸気口が布団により直接塞がれることはないものの、排気を進めてゆくうちに布団の一部が起立板間に入り込み吸気口の周りが塞がれることがある。
【０００８】
このように塞がれた場合は、布団の目詰まりにより空気の流れが阻害され、十分に排気するまでに非常に長い時間を要することになる。また、長時間を要すると、電気掃除機に余分な負荷が長時間掛かることになり、電気掃除機の故障の原因ともなる。
【０００９】
本発明の目的は、上述の課題を解消し、排気を進めても内部の収納物により吸気口が閉塞されることのなく、短時間で排気を完了する圧縮収納袋用排気具を提供することにある。
【課題を解決するための手段】
【００１０】
上記目的を達成するための本発明に係る圧縮収納袋用排気具は、硬質部材から成る内側部材及び外側部材と、前記内側部材の中心に設けた吸気導入窓を覆うようにして前記内側部材に取り付けられ、弾性を有する軟質部材から成る弁部材とから成り、前記吸気導入窓の周囲に設けた円環状の下部抑え板と前記外側部材の上部抑え板とで圧縮収納袋を挟み、該圧縮収納袋に取り付け可能な圧縮収納袋用排気具であって、前記下部抑え板の下面には、空気流通路を形成する複数の板状の隔壁が放射状でかつ下方に向けて張り出しており、前記隔壁の一部は、前記下部抑え板の外縁よりも長く延在されており、前記隔壁の外側には、下縁が前記隔壁の下縁と同位置である環状枠部が配置され、該環状枠部の内側に前記隔壁の各先端が連結されており、前記隔壁の一部に連続する上縁部は、前記下部抑え板の外縁及び前記環状枠部の上縁に連続しており、前記下部抑え板の外縁と、前記下部抑え板から斜め下方に傾斜する前記上縁部と、前記環状枠部の上縁とにより囲まれた区画に、斜め上方に向けて開口する吸気窓が設けられていることを特徴とする。
【発明の効果】
【００１１】
本発明の圧縮収納袋用排気具によれば、空気流通路を形成する複数の板状の隔壁の外側に環状の環状枠部を設けることで、排気中に収納物により吸気口が閉塞されることがなく、短時間で排気を完了することができる。
【図面の簡単な説明】
【００１２】
【図１】実施例の圧縮収納袋用排気具の分解斜視図である。
【図２】表側から見た斜視図である。
【図３】裏側から見た斜視図である。
【図４】図２のＡ−Ｂ線に沿った断面図である。
【図５】圧縮収納袋に組み付けた状態の断面図である。
【図６】排気中の断面図である。
【図７】排気終了後の断面図である。
【発明を実施するための形態】
【００１３】
本発明を図示の実施例に基づいて詳細に説明する。
図１は圧縮収納袋用排気具の分解斜視図、図２は組合わせた状態の表側から見た斜視図、図３は裏側から見た斜視図、図４は図２のＡ−Ｂ線に沿った断面図である。
【００１４】
排気具１は硬質の合成樹脂材等から成る硬質部材で形成された内側部材２と外側部材３と、弾性を有する合成樹脂材、ゴム体等から成る軟質部材で形成された弁部材４との３個の部材から成り、内側部材２と外側部材３との間に弁部材４が配置されている。
【００１５】
内側部材２は中央部に弁保持筒２ａを有し、弁保持筒２ａの周囲に例えば８枚の板状の仕切壁２ｂが等角度で放射状に外方に向けて配列されている。各仕切壁２ｂの上部外端には、上面を円環平面状とした弁座部２ｃが連結され、弁座部２ｃの内縁内には、弁保持筒２ａ、仕切壁２ｂの上縁が現われており、弁座部２ｃの内縁の仕切壁２ｂ間は吸気導入窓２ｄとされている。
【００１６】
弁座部２ｃの周囲には円環状の下部抑え板２ｅが連結され、弁座部２ｃは下部抑え板２ｅよりも一段と高く短円筒状とされ、下部抑え板２ｅとの間の周囲に凹条２ｆが環状に形成されている。
【００１７】
下部抑え板２ｅの下面には、例えば１２枚の板状の隔壁２ｇが弁保持筒２ａを中心として等角度で放射状に配置されており、互いの隔壁２ｇは下方に向けて張り出している。
【００１８】
これらの隔壁２ｇの下縁は、仕切壁２ｂの下縁とほぼ同位置であり、隔壁２ｇの各先端は環状の下部抑え板２ｅの外周よりも更に外方まで延設されており、下部抑え板２ｅの表側に位置する、一部の隔壁２ｇと連続する上縁部２ｈは、稍々斜め下方に傾斜している。
【００１９】
更に、隔壁２ｇの外側には環状の環状枠部２ｉが配置され、この環状枠部２ｉの内側に隔壁２ｇの各先端が連結されている。また、環状枠部２ｉの下縁は、隔壁２ｇの下縁とほぼ同位置である。
【００２０】
そして、下部抑え板２ｅの外縁と、隣合う隔壁２ｇの一部と連続する上縁部２ｈと、環状枠部２ｉとにより囲まれて区画された計１２個の吸気窓２ｊが、斜め上方に向けて設けられている。
【００２１】
外側部材３では、内側部材２の弁座部２ｃに上から嵌合し、内部を空間とする短円筒状の弁室３ａが形成されており、この弁室３ａの内側下縁には弁座部２ｃの下部の凹条２ｆに係合する係止片３ｂが設けられている。また、弁室３ａの頂部３ｃには、例えば３個の排気窓３ｄが設けられている。更に、弁室３ａの下部周囲には、後述する圧縮収納袋のシート材を介して内側部材２の下部抑え板２ｅと重なり合う、同形の上部抑え板３ｅが形成されている。なお、上部抑え板３ｅの上部に設けた３個のリブ３ｆは補強用であり、また外側部材３を内側部材２に取り付ける際に押圧するための役割を果している。
【００２２】
弁部材４は、弾性を有し軟質で薄肉円板状で伏皿状の弁体４ａと、弁体４ａの中心から下方に延在し、弁保持筒２ａ内に挿入される軸部４ｂとを有し、弁体４ａは弁座部２ｃ上に載置されて弁室３ａ内に配置される。
【００２３】
そして、弁体４ａは吸気導入窓２ｄ側と外側部材３の弁室３ａ側との圧力差により作動し、吸気導入窓２ｄ側の圧力が弁室３ａ側の圧力よりも大きい場合には、弁体４ａが浮上して吸気導入窓２ｄを開放し、吸気導入窓２ｄ側の圧力が弁室３ａ側の圧力よりも小さい場合には、弁体４ａが降下して吸気導入窓２ｄを閉止する。
【００２４】
本実施例の排気具１は、単体でも販売されるが、多くは圧縮収納袋の排気用孔部に組み付けられて市販されている。内部に布団Ｆ等の収納物を収納するための合成樹脂シート材から成る圧縮収納袋は、空気遮断性、透明性、柔軟性を有している。
【００２５】
圧縮収納袋には、布団を密封状態で収納するための密閉用のファスナを縁部に取り付けた収納用開口部と、内部空気を排出するための排気具１を取り付けるための円形の排気用孔部とが設けられている。この排気用孔部の直径は、弁座部２ｃの直径と略一致する。
【００２６】
排気具１の圧縮収納袋に対する組み付けに際しては、図５に示すように、内側部材２の弁座部２ｃを圧縮収納袋Ｂの排気用孔部に挿通して、排気用孔部の周縁を下部抑え板２ｅに溶融又は接着により気密に接合する。続いて、弁部材４を内側部材２に取り付け、軸部４ｂを弁保持筒２ａ内に挿入し、弁体４ａを弁座部２ｃ上に載置すると、弁体４ａが吸気導入窓２ｄを覆うことになる。
【００２７】
次に、内側部材２に外側部材３を当接して、弁室３ａの係止片３ｂを弁座部２ｃの凹条２ｆに係止する。これにより、弁室３ａが弁座部２ｃを覆って嵌合し、下部抑え板２ｅに接着された圧縮収納袋Ｂの排気用孔部の周縁を、内側部材２の下部抑え板２ｅと外側部材３の上部抑え板３ｅとにより挟んだ状態になり、圧縮収納袋Ｂへの排気具１の組み付けが終了する。この状態で、圧縮収納袋Ｂを折り畳んで市販される。
【００２８】
使用に際しては、使用者は購入した排気具１を組み付けた圧縮収納袋Ｂを拡げ、圧縮収納袋Ｂの収納用開口部から内部に例えば布団を収納した後に、収納用開口部を閉止してファスナにより密閉する。
【００２９】
次に、電気掃除機の吸口Ｓを排気具１の弁室３ａの表側に当接して排気窓３ｄから内部空気を吸引する。すると、弁室３ａの内部空間が負圧となり、図６に示すように、吸気導入窓２ｄを覆っていた弁部材４の弁体４ａが、弁室３ａ内で弁保持筒２ａに沿って浮上して弁座部２ｃから離れ、吸気導入窓２ｄを開放する。
【００３０】
従って、圧縮収納袋Ｂ内の空気、特に布団Ｆに含まれている空気が吸出され、この空気は内側部材２の隔壁２ｇの下方及び吸気窓２ｊから内側部材２の内部に隔壁２ｇにより案内されて大量に流れ込み、更に仕切壁２ｂにより区画された吸気導入窓２ｄに至り、吸気導入窓２ｄを経て外側部材３の排気窓３ｄから電気掃除機内に吸引される。排気が進むにつれ、布団Ｆが仕切壁２ｂ間に入り込もうとするが、環状枠部２ｉが存在するため、布団Ｆは所定の高さまでしか入りこむことができない。
【００３１】
吸気窓２ｊを介して隔壁２ｇ内に向う空気の流れについては、布団Ｆによって塞がれることがなく、吸気導入窓２ｄに至る空気流通路は常に確保されることになる。
【００３２】
この空気流路を介して、布団Ｆ全体の布団Ｆ内の空気を排気することが可能である。従って、吸気導入窓２ｄに対して布団Ｆの目詰まりにより空気の流れが阻害されることなく、圧縮収納袋Ｂの空気を迅速に排気することが可能である。このように、隔壁２ｇの外側に環状の環状枠部２ｉを設けることで、排気中に布団Ｆにより吸気口が閉塞されることがなく、吸気窓２ｊを介して空気流通路が確保され、短時間で排気を完了することができる。
【００３３】
更に排気を継続し、内部の布団Ｆが十分に圧縮されると、図７に示すように最終的に圧縮収納袋Ｂの排気用孔部の周縁が吸気窓２ｊに貼り付いて吸気窓２ｊを塞ぐことになる。
【００３４】
この状態で電気掃除機による吸引を停止し、掃除機の吸口Ｓを排気具１から外すと、圧縮収納袋Ｂ内の負圧により、弁体４ａは図７に示すように、弁座部２ｃの吸気導入窓２ｄに吸着され圧縮収納袋Ｂの内部は密封された状態が維持される。これにより、布団Ｆを圧縮収納袋Ｂ内で収縮したまま、押し入れ等で長期間保管することができる。
【００３５】
布団Ｆを使用するために圧縮収納袋Ｂから取り出すには、収納用開口部のファスナを開けると、外気が圧縮収納袋Ｂ内に流れ込み、布団Ｆは空気を吸収して元の形状に復元する。
【符号の説明】
【００３６】
１  排気具
２  内側部材
２ｂ  仕切壁
２ｃ  弁座部
２ｄ  吸気導入窓
２ｅ  下部抑え板
２ｇ  隔壁
２ｉ  環状枠部
２ｊ  吸気窓
３  外側部材
３ａ  弁室
３ｄ  排気窓
３ｅ  上部抑え板
４  弁部材
４ａ  弁体
Ｂ  圧縮収納袋
Ｆ  布団
【図１】
0006770308.tif 000002
【図２】
0006770308.tif 000003
【図３】
0006770308.tif 000004
【図４】
0006770308.tif 000005
【図５】
0006770308.tif 000006
【図６】
0006770308.tif 000007
【図７】
0006770308.tif 000008